【手続補正書】
【提出日】平成17年9月30日(2005.9.30)
【手続補正１】
【補正対象書類名】特許請求の範囲
【補正対象項目名】全文
【補正方法】変更
【補正の内容】
【特許請求の範囲】
【請求項１】
遊技の演出を行うための第１と第２の遊技機構成要素と、
前記第１と第２の遊技機構成要素を用いた複数のメイン演出パターンのうちの少なくとも１つを決定して、そのメイン演出パターンに対応したメイン制御信号を出力するメイン制御装置と、
前記メイン制御信号を受信して第１の遊技機構成要素による演出を制御する第１のサブ制御装置と、
前記メイン制御信号を受信して第２の遊技機構成要素による演出を制御する第２のサブ制御装置とを備え、
前記複数のメイン演出パターンのうちの少なくとも１つには、前記第１の遊技機構成要素用の複数の第１のサブ演出パターンと、前記第２の遊技機構成要素用の複数の第２のサブ演出パターンとが従属して設けられると共に、前記第１のサブ演出パターンと前記第２のサブ演出パターンとが対応するようにサブ制御信号が設定され、
前記第１のサブ制御装置は、所定のメイン演出パターンに係るメイン制御信号を受信したときには、そのメイン演出パターンに従属した複数の第１のサブ演出パターンから１つを決定し、その第１のサブ演出パターンに基づいて前記第１の遊技機構成要素の演出を制御すると共に、前記メイン制御信号の出力期間の後であって、前記メイン制御信号を受信してから所定の待機時間が経過する前に、前記第１のサブ演出パターンに対応したサブ制御信号の送信を開始すると共に、次に前記メイン制御信号を取得するまで前記サブ制御信号を出力し続け、
前記第２のサブ制御装置は、前記メイン制御信号を受信してから前記待機時間が経過した後に前記サブ制御信号を複数回に亘って受信し、受信した前記サブ制御信号を互いに照合して少なくとも何れか２つが同一の場合に前記サブ制御信号として取り込み、前記サブ制御信号と前記メイン制御信号とから決定される前記第２のサブ演出パターンの演出を前記第２の遊技機構成要素に行わせるように構成したことを特徴とする遊技機。
【請求項２】
前記第１のサブ制御装置は、前記第１の遊技機構成要素としての表示器に表示される画像を制御する表示制御装置であり、
前記第２のサブ制御装置は、前記第２の遊技機構成要素としてのスピーカから発生される音声を制御する音声制御装置及び／又は、前記第２の遊技機構成要素としてのランプの発光パターンを制御するランプ制御装置であり、
前記表示器に表示可能な複数種類の画像を、前記メイン制御信号に対応させて複数の前記メイン演出パターンに分類記憶しかつ、少なくとも１つのメイン演出パターンに従属する複数の画像を前記第１のサブ演出パターンとし、
前記スピーカから出力される複数種類の音声及び／又は前記ランプの複数の発光パターンを、前記メイン制御信号に対応させて複数の前記メイン演出パターンに分類記憶しかつ、少なくとも１つのメイン演出パターンに従属する前記音声及び／又は前記発光パターンを前記第２のサブ演出パターンとしたことを特徴とする請求項１に記載の遊技機。
【手続補正２】
【補正対象書類名】明細書
【補正対象項目名】０００５
【補正方法】削除
【補正の内容】
【手続補正３】
【補正対象書類名】明細書
【補正対象項目名】０００６
【補正方法】変更
【補正の内容】
【０００６】
上記目的を達成するためになされた請求項１の発明に係る遊技機は、遊技の演出を行うための第１と第２の遊技機構成要素と、第１と第２の遊技機構成要素を用いた複数のメイン演出パターンのうちの少なくとも１つを決定して、そのメイン演出パターンに対応したメイン制御信号を出力するメイン制御装置と、メイン制御信号を受信して第１の遊技機構成要素による演出を制御する第１のサブ制御装置と、メイン制御信号を受信して第２の遊技機構成要素による演出を制御する第２のサブ制御装置とを備え、複数のメイン演出パターンのうちの少なくとも１つには、第１の遊技機構成要素用の複数の第１のサブ演出パターンと、第２の遊技機構成要素用の複数の第２のサブ演出パターンとが従属して設けられると共に、第１のサブ演出パターンと第２のサブ演出パターンとが対応するようにサブ制御信号が設定され、第１のサブ制御装置は、所定のメイン演出パターンに係るメイン制御信号を受信したときには、そのメイン演出パターンに従属した複数の第１のサブ演出パターンから１つを決定し、その第１のサブ演出パターンに基づいて第１の遊技機構成要素の演出を制御すると共に、メイン制御信号の出力期間の後であって、メイン制御信号を受信してから所定の待機時間が経過する前に、第１のサブ演出パターンに対応したサブ制御信号の送信を開始すると共に、次に前記メイン制御信号を取得するまで前記サブ制御信号を出力し続け、第２のサブ制御装置は、メイン制御信号を受信してから待機時間が経過した後にサブ制御信号を複数回に亘って受信し、受信したサブ制御信号を互いに照合して少なくとも何れか２つが同一の場合にサブ制御信号として取り込み、サブ制御信号とメイン制御信号とから決定される第２のサブ演出パターンの演出を第２の遊技機構成要素に行わせるように構成したところに特徴を有する。
【手続補正４】
【補正対象書類名】明細書
【補正対象項目名】０００７
【補正方法】変更
【補正の内容】
【０００７】
請求項２の発明は、請求項１に記載の遊技機において、第１のサブ制御装置は、第１の遊技機構成要素としての表示器に表示される画像を制御する表示制御装置であり、第２のサブ制御装置は、第２の遊技機構成要素としてのスピーカから発生される音声を制御する音声制御装置及び／又は、第２の遊技機構成要素としてのランプの発光パターンを制御するランプ制御装置であり、表示器に表示可能な複数種類の画像を、メイン制御信号に対応させて複数のメイン演出パターンに分類記憶しかつ、少なくとも１つのメイン演出パターンに従属する複数の画像を第１のサブ演出パターンとし、スピーカから出力される複数種類の音声及び／又はランプの複数の発光パターンを、メイン制御信号に対応させて複数のメイン演出パターンに分類記憶しかつ、少なくとも１つのメイン演出パターンに従属する音声及び／又は発光パターンを第２のサブ演出パターンとしたところに特徴を有する。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】変更
【補正の内容】
【００１０】
［請求項１の発明］
請求項１の遊技機では、メイン制御装置がメイン演出パターンを決定し、そのメイン演出パターンに対応したメイン制御信号を出力する。第１のサブ制御装置は、所定のメイン演出パターンに係るメイン制御信号を受信したときには、複数の第１のサブ演出パターンから１つを決定して第１の遊技機構成要素の演出を制御すると共に、その第１のサブ演出パターンに対応したサブ制御信号を、メイン制御信号の出力期間の後から次に前記メイン制御信号を取得するまで出力し続ける。すると、第２のサブ制御装置は、メイン制御信号を受信してから待機時間が経過した後にサブ制御信号を複数回に亘って受信し、受信したサブ制御信号を互いに照合して少なくとも何れか２つが同一の場合にサブ制御信号として取り込み、サブ制御信号とメイン制御信号とから決定される第２のサブ演出パターンに基づき、第２の遊技機構成要素の演出を制御するように構成したので、誤ったサブ制御信号によって遊技の制御が行われるのを防ぐことができると共に、第２のサブ制御装置はメインとサブの両制御信号を区別して受信することができ、遊技機内部で制御信号の送受信を円滑に行うことが可能になる。
【手続補正８】
【補正対象書類名】明細書
【補正対象項目名】００１１
【補正方法】変更
【補正の内容】
【００１１】
［請求項２の発明］
請求項２の遊技機では、メイン制御装置が、表示器に表示させるメイン演出パターンの分類を決定し、表示制御装置がそのメイン演出パターンに従属する複数の画像から１つの第１のサブ演出パターンを決定する。これにより、メイン制御装置と表示制御装置とが制御負荷を分担して効率よく制御を行うことができる。しかも、音声制御装置及び／又はランプ制御装置は、表示制御装置が出力したサブ制御信号に基づいて、メイン演出パターンに従属する複数の音声及び／又は発光パターンのうちの１つの第２のサブ演出パターンを実行するので、画像と音声及び／又は発光パターンとを連携させた演出を行うことができる。
【手続補正９】
【補正対象書類名】明細書
【補正対象項目名】００１２
【補正方法】削除
【補正の内容】
【手続補正１０】
【補正対象書類名】明細書
【補正対象項目名】０１８１
【補正方法】変更
【補正の内容】
【０１８１】
（５）前記第２実施形態では、表示用サブ制御装置５７からは１つ又は２つのサブ制御装置にサブ制御信号を出力していたが、３つ以上のサブ制御装置に出力するようにしてもよい。
ここで、本発明の構成を纏めると、以下のようになる。
（ア）遊技の制御を行うためのメイン制御信号を出力するメイン制御装置と、前記メイン制御信号を受信し、前記メイン制御信号に応じて独自に生成したサブ制御信号に従って第１の遊技機構成要素を制御する第１のサブ制御装置と、前記メイン制御信号と前記サブ制御信号の両方を受信し、前記メイン制御信号及び前記サブ制御信号に応じて第２の遊技機構成要素を制御する第２のサブ制御装置とを備えた遊技機において、前記メイン制御装置による前記メイン制御信号の出力期間の後に、前記第１のサブ制御装置による前記サブ制御信号の出力期間を設けたことを特徴とする遊技機である。
（イ）遊技の演出を行うための第１と第２の遊技機構成要素と、前記第１と第２の遊技機構成要素を用いた複数のメイン演出パターンのうちの少なくとも１つを決定して、そのメイン演出パターンに対応したメイン制御信号を出力するメイン制御装置と、前記メイン制御信号を受信して第１の遊技機構成要素による演出を制御する第１のサブ制御装置と、前記メイン制御信号を受信して第２の遊技機構成要素による演出を制御する第２のサブ制御装置とを備え、前記複数のメイン演出パターンのうちの少なくとも１つには、前記第１の遊技機構成要素用の複数の第１のサブ演出パターンと、前記第２の遊技機構成要素用の複数の第２のサブ演出パターンとが従属して設けられると共に、前記第１のサブ演出パターンと前記第２のサブ演出パターンとが対応するようにサブ制御信号が設定され、前記第１のサブ制御装置は、所定のメイン演出パターンに係るメイン制御信号を受信したときには、そのメイン演出パターンに従属した複数の第１のサブ演出パターンから１つを決定し、その第１のサブ演出パターンに基づいて前記第１の遊技機構成要素の演出を制御すると共に、前記メイン御信号の出力期間の後に前記第１のサブ演出パターンに対応したサブ制御信号を出力し、前記第２のサブ制御装置は、前記メイン制御信号の後に前記サブ制御信号を受信したときには、そのサブ制御信号に対応した前記第２のサブ演出パターンに基づき、前記第２の遊技機構成要素の演出を制御するように構成したことを特徴とする遊技機である。
（ウ）前記第１のサブ制御装置は、前記第１の遊技機構成要素としての表示器に表示される画像を制御する表示制御装置であり、前記第２のサブ制御装置は、前記第２の遊技機構成要素としてのスピーカから発生される音声を制御する音声制御装置及び／又は、前記第２の遊技機構成要素としてのランプの発光パターンを制御するランプ制御装置であり、  前記表示器に表示可能な複数種類の画像を、前記メイン制御信号に対応させて複数の前記メイン演出パターンに分類記憶しかつ、少なくとも１つのメイン演出パターンに従属する複数の画像を前記第１のサブ演出パターンとし、前記スピーカから出力される複数種類の音声及び／又は前記ランプの複数の発光パターンを、前記メイン制御信号に対応させて複数の前記メイン演出パターンに分類記憶しかつ、少なくとも１つのメイン演出パターンに従属する前記音声及び／又は前記発光パターンを前記第２のサブ演出パターンとしたことを特徴とする前記（イ）に記載の遊技機である。
（エ）前記第１のサブ制御装置は、前記メイン制御信号を受信してから所定の待機時間が経過する前に前記サブ制御信号の送信を開始し、次に前記メイン制御信号を受信するまで同じサブ制御信号を送信し続け、前記第２のサブ制御装置は、前記メイン制御信号を受信してから前記待機時間が経過した後に受信した信号を前記サブ制御信号として取り込むように構成したことを特徴とする前記（ア）、（イ）、（ウ）の何れかに記載の遊技機である。